(57)【要約】【課題】包装容器から情報カードを切除しても、包装容器としてより利用しやすい構成にするとともに製造過程において自動化に適した構成とすること。【解決手段】複数の面から成る包装容器であって、前記包装容器の複数の面のうち少なくとも一面が外側片及び内側片から成る二重構造であり、前記外側片には、第一情報が印刷されたカード状部が切除部を介して切除可能に構成され、前記内側片には、前記カード状部によって覆われる部分に第二情報が印刷され、前記外側片の裏面には接着剤が塗布されるとともに前記内側片の前記第二情報の表面には透明の剥離剤が塗布されることにより、前記内側片の第二情報の表面において、前記カード状部が前記内側片から剥離可能に構成され、前記カード状部の表面には、外部印字装置によって印字される印字スペースを有し、前記印字スペースの側端部は、容器側面から１０．０ｍｍ以内の位置に配置されることを特徴とする。【選択図】図１
2014108810.tif 000002
【特許請求の範囲】
【請求項１】
複数の面から成る包装容器であって、
前記包装容器の複数の面のうち少なくとも一面が外側片及び内側片から成る二重構造であり、
前記外側片には、第一情報が印刷されたカード状部が切除部を介して切除可能に構成され、
前記内側片には、前記カード状部によって覆われる部分に第二情報が印刷され、
前記外側片の裏面には接着剤が塗布されるとともに前記内側片の前記第二情報の表面には透明の剥離剤が塗布されることにより、前記内側片の第二情報の表面において、前記カード状部が前記内側片から剥離可能に構成され、
前記カード状部の表面には、外部印字装置によって印字される印字スペースを有し、
前記印字スペースの側端部は、容器側面から１０．０ｍｍ以内の位置に配置されることを特徴とする包装容器。
【請求項２】
前記切除部は、０．５ｍｍ〜１．５ｍｍの接続部と、６．０ｍｍ以上の切断部と、により構成されることを特徴とする請求項１に記載の包装容器。
【請求項３】
前記カード状部と前記外側片は、前記カード状部の一辺に形成された前記切除部を介して一体となることを特徴とする請求項１又は請求項２に記載の包装容器。
【請求項４】
前記カード状部と前記外側片は、前記カード状部の少なくとも二辺に形成された前記切除部を介して一体となることを特徴とする請求項１又は請求項２に記載の包装容器。
【請求項５】
前記カード状部の端部には把持可能なタブが形成され、
前記タブの下方の前記内側片及び前記外側片には、押し下げることで押下溝が形成されることを特徴とする請求項１乃至請求項４のいずれか１項に記載の包装容器。
【発明の詳細な説明】
【技術分野】
【０００１】
本発明は、薬品等を収納する包装容器において、特に、情報カードを切取ることができる包装容器に関する。
【背景技術】
【０００２】
包装容器において、容器表面に薬品等の内容物の名称や特性の情報が表示されたものがある。そして、容器本体に表示された前記情報をそのまま利用するため、容器本体の一部を切除して情報カードとして利用可能に構成したものがある（例えば、特許文献１参照）。
【０００３】
特許文献１では、次のような技術が開示されている。即ち、包装容器の開封面とは異なる面を外側片及び内側片から成る二重構造とし、外側片には内容物情報が印刷され、外側片の一部または全部が切除されるように、内容物情報の周囲に切除部が構成されるものである。また、外側片と内側片とは部分的に接着される接着部によって仮止めされている。
【０００４】
このような構成により、切除部によって切除された内容物情報の印刷された部分は情報カードとして利用可能である。
【０００５】
一方、前述のように情報カードが切除された面は二重構造であるため、情報カードを切除した後の容器は、一面の一部が切除されるわけではなく、包装容器として利用可能である。
【先行技術文献】
【特許文献】
【０００６】
【特許文献１】実用新案登録第３１７２０９９号
【発明の概要】
【発明が解決しようとする課題】
【０００７】
しかしながら、内容物情報が印刷される情報カードの裏面には接着剤が塗布され、内側片に接着されている。ここで、接着剤の接着強度が弱いと、輸送途中等の衝撃において、情報カード部分の仮止めが解除され、めくれ上がってしまうおそれがある。
【０００８】
一方、接着剤の接着強度が強いと、情報カードを切除する際に内側片の表面が剥がれてしまう。このため、もし内側片表面に印刷を施していると、表面の印刷ごと剥がれてしまうおそれがある。
【０００９】
また、上述のような包装容器は、同じ規格・品質のものを大量に製造する必要があるため、自動包装に適した構成とする必要がある。これに加えて、薬事法に基づき、製造日、製造番号、等の情報を記載する必要がある。この場合、これらの情報を外部に配置された外部印字装置によって自動で入力することが便利であるため、外部印字装置による印字に適した構成とする必要もある。
【００１０】
本発明は、包装容器から情報カードを切除しても、包装容器としてより利用しやすい構成にするとともに製造過程において自動化に適した構成とすることである。
【課題を解決するための手段】
【００１１】
上記目的を達成するための本発明の第１構成は、複数の面から成る包装容器であって、前記包装容器の複数の面のうち少なくとも一面が外側片及び内側片から成る二重構造であり、前記外側片には、第一情報が印刷されたカード状部が切除部を介して切除可能に構成され、前記内側片には、前記カード状部によって覆われる部分に第二情報が印刷され、前記外側片の裏面には接着剤が塗布されるとともに前記内側片の前記第二情報の表面には透明の剥離剤が塗布されることにより、前記内側片の第二情報の表面において、前記カード状部が前記内側片から剥離可能に構成され、前記カード状部の表面には、外部印字装置によって印字される印字スペースを有し、前記印字スペースの側端部は、容器側面から１０．０ｍｍ以内の位置に配置されることを特徴とする包装容器。
【００１２】
本発明の第２構成は、前記切除部は、０．５ｍｍ〜１．５ｍｍの接続部と、６．０ｍｍ以上の切断部と、により構成されることを特徴とする第１構成の包装容器である。
【００１３】
本発明の第３構成は、前記カード状部と前記外側片は、前記カード状部の一辺に形成された前記切除部を介して一体となることを特徴とする第１構成又は第２構成に記載の包装容器である。
【００１４】
本発明の第４構成は、前記カード状部と前記外側片は、前記カード状部の少なくとも二辺に形成された前記切除部を介して一体となることを特徴とする第１構成又は第２構成に記載の包装容器である。
【００１５】
本発明の第５構成は、前記カード状部の端部には把持可能なタブが形成され、前記タブの下方の前記内側片及び前記外側片には、押し下げることで押下溝が形成されることを特徴とする第１構成乃至第４構成のいずれか１つに記載の包装容器である。
【発明の効果】
【００１６】
第１構成によれば、カード状部が容易に剥がれ、且つ内側片に印刷された第二情報が剥離剤により保護されるため、第二情報を視認することができ、包装容器としてより利用しやすいものとなる。また、自動包装に加え自動印字が行いやすくなり、より自動化を促進することができる。
【００１７】
第２構成によれば、また、カード状部を切除部に沿って確実に切除することができる。
【００１８】
第３構成によれば、カード状部が１つのみの切除部を介して外側片に接続され、自由端が多いため、カード状部が外側片から切除しやすい。
【００１９】
第４構成によれば、カード状部が２つの切除部を介して外側片に接続されるため、カード状部を外側片に確実に仮止めすることができ、搬送時にめくれ上がりにくい。
【００２０】
第５構成によれば、押下溝が形成されることで、人為的に開封されたことが確実にわかる。
【図面の簡単な説明】
【００２１】
【図１】第１実施形態に係る包装容器の使用状態を示す斜視図。
【図２】第２実施形態に係る包装容器の使用状態を示す斜視図。
【図３】第３実施形態に係る包装容器の使用状態を示す斜視図。
【発明を実施するための形態】
【００２２】
〔第１実施形態〕
本発明の第１実施形態を図を用いて説明する。図１は第１実施形態に係る包装容器の使用状態を示す斜視図である。
【００２３】
内部に医薬品等を包装する箱状の包装容器１０は、複数の面から構成され、内容物を包装する。複数の面は一体のブランク板を折りたたんで組み立てる。組み立てた後の包装容器１０の状態を図１に示す。
【００２４】
図１（ａ）に示すように、包装容器１０は複数の面のうち少なくとも一面（本実施形態においては上面）が二重構造になっている。上面は、カード状部Ｃが切除部Ｄを介して一体的に構成される外側片１１と、その下面に位置し包装容器１０の一面を構成する内側片１２を有する。
【００２５】
カード状部Ｃの表面には、不図示の外部印字装置によって印字される印字スペースＳを有する。印字スペースＳの側端部Ｓｅは、外部印字装置の規格に合わせて、容器側面１３から所定範囲内とすることが必要である。具体的には、１０．０ｍｍ以内の位置に配置される必要がある。つまり、図１（ａ）において、容器側面１３から側端部Ｓｅまでの距離Ｌが１０．０ｍｍ以内となる。なお、距離Ｌは、２．０ｍｍ〜５．０ｍｍがより好ましい。これは、現時点における外部印字装置の規格において、距離Ｌが２．０ｍｍ〜５．０ｍｍの範囲が主流であるからである。
【００２６】
このように構成し、不図示の外部印字装置のガイド部に容器側面１３を沿わせ、前記外部印字装置の搬送手段にて包装容器１０を送りながら、前記外部印字装置の印字手段によって包装容器１０の印字スペースＳ上に印字を行う。
【００２７】
ここで、前記印字手段の規格において、前記ガイド部から前記印字手段までの最も近い距離が、２．０ｍｍ〜５．０ｍｍとなるように構成する。このように、印字スペースＳの側端部Ｓｅの位置を、印字手段の印字可能な位置に合わせることで、前記外部印字装置により、包装容器１０に対して容易に印字作業を行うことができる。
【００２８】
また、印字位置を規格に合わせるような印字スペースＳとすることで、従来行われている自動化をさらに促進する。
【００２９】
従来、ブランク板を組み立てて包装容器の蓋を開けた状態にし、蓋から内容物を包装容器１０に入れる作業（自動包装）が行われていた。そして、本実施形態においては、従来の自動包装に加えて、前記外部印字装置による印字スペースＳへの印字をも自動化することができる。このように、印字スペースＳの側端部Ｓｅを上述の所定の位置にしたことで、包装容器１０は自動包装に加え、自動印字に適した構成となる。
【００３０】
図１（ｂ）に示すように、カード状部Ｃを外側片１１から切除する場合には、カード状部Ｃの端部に把持可能に形成されたタブＣｔを起こして引き上げる。ここで、外側片１１とカード状部Ｃとの間は断続的に切り込みが入った切除部Ｄにて切除可能に接続されるため、切除部Ｄにおいて容易に折り曲り、カード状部Ｃが起き上がる。
【００３１】
特に本実施形態においては、カード状部Ｃと外側片１１は、カード状部Ｃの一辺のみに形成された切除部Ｄを介して一体となっており、他の三辺は自由端となっている。このため、より容易にカード状部Ｃを起こすことができる。これにより切除作業がより容易となる。そして、カード状部Ｃを起こした後に上方に引っ張ることで、カード状部Ｃは切除部Ｄに沿って切り離される。
【００３２】
切除部Ｄは、図１に示すように、カード状部Ｃと外側片１１との間で互いに切断されている部分が、カード状部Ｃと外側片１１とが互いに接続されている部分に比して長く構成される。具体的には、０．５ｍｍ〜１．５ｍｍの接続部と、６．０ｍｍ以上の切断部と、により構成される。これにより、カード状部Ｃを綺麗に切除しやすくなる。次に、具体的に理由を説明する。
【００３３】
例えば、切除部Ｄの構成が、接続部の長さと切断部の長さが同一である一般的な構成では、切除部の任意の位置で切れやすい。このため、カード状部の内部側に切れが生じるおそれがある。特に、本実施形態のようにカード状部Ｃの一辺のみを切除部として固定する構成においては、カード状部Ｃに自由端が３辺あるため、引き上げる際の力が加わる方向の自由度も多くなる。このため、切除作業の途中でカード状部Ｃの内部側に切れが生じるおそれが生じる。そして、途中において切れが生じないように切除部Ｄの線に沿って切り離すためには、特別の注意が必要になる。
【００３４】
これに対して本実施形態は、切除部Ｄの構造を、接続部に比して切断部を長く構成する。すると、切除部Ｄにてより容易に切り離すことができるため、カード状部Ｃの切除作業を円滑に行うことができる。特に、カード状部Ｃは情報カードとして利用するものであるため、カード状部Ｃに亀裂が入ることを防止することで、カード状部Ｃの情報性を保つことができる。
【００３５】
図１（ｃ）に示すように、外側片１１から切除部Ｄにて切除したカード状部Ｃは情報カードとして利用可能である。カード状部Ｃには表面に投薬指導や包装容器１０が内包する医薬品に関する情報等の第一情報ｉ１が印刷される。一方、内側片１２には、切除作業前の段階においてカード状部Ｃによって覆われる部分に第二情報ｉ２が印刷される。
【００３６】
第二情報ｉ２は第一情報ｉ１と同一のものが好ましい。このようにすると、第一情報ｉ１がカード状部Ｃの切除により包装容器１０から離れた後においても、第一情報ｉ１と同一の情報が第二情報ｉ２として包装容器１０に残ることで、情報が包装容器１０から失われないからである。
【００３７】
ここで、外側片１１と内側片１２との接着について説明する。外側片１１の裏面には不図示の接着剤が塗布される。一方、内側片１２の第二情報ｉ２の表面には透明の剥離剤Ｒが塗布される。これにより、内側片１２の第二情報ｉ２の表面の部分において、前記接着剤の接着力が緩和され、カード状部Ｃが内側片１２から剥離可能に構成される。
【００３８】
このように、本実施形態においては、内側片１２の所望の箇所（カード状部Ｃにより覆われる部分）の剥離剤を塗布することで、外側片１１裏面の接着剤の接着力を緩和する。これにより、外側片１１の裏面には、カード状部Ｃの裏面も含めて全体的に接着剤を塗布することができ、接着剤を塗布する部分を細かく設定する必要はない。このため、接着剤の塗布作業を容易にすることができる。
【００３９】
また、内側片１２の第二情報ｉ２の表面に剥離剤を塗布することにより、カード状部Ｃの接着剤が第二情報ｉ２の印刷に直接触れることがない。すると、カード状部Ｃの裏面の接着剤の影響により第二情報ｉ２が内側片１２から剥がされることがなくなり、第二情報ｉ２を確実に保護することができる。
【００４０】
〔第２実施形態〕
本発明の第２実施形態を図を用いて説明する。図２は第２実施形態に係る包装容器の使用状態を示す斜視図である。前述と同様の構成については同符号を付すことで説明を省略する。
【００４１】
図２（ａ）に示すように、本実施形態の包装容器２０の上面は、外側片２１と内側片２２からなる二重構造である。カード状部Ｃと外側片２１は、カード状部Ｃの少なくとも二辺に形成された切除部Ｄ１及び切除部Ｄ２を介して一体となる。
【００４２】
図２（ｂ）に示すように、カード状部Ｃを外側片２１から切除する場合には、カード状部Ｃの端部に形成されるタブＣｔを起こして引き上げる。ここで、外側片２１とカード状部Ｃとの間は断続的に切り込みが入った切除部Ｄ１にて接続され、容易に切り離すことができるため、カード状部Ｃを切除部Ｄ１に沿って切り離すことができる。
【００４３】
カード状部Ｃと外側片２１とを切除部Ｄ１において切除したのち、カード状部Ｃと外側片２１とは切除部Ｄ２のみにて接続される。ここで、カード状部Ｃを上方に引っ張ると、カード状部Ｃは、外側片２１から切除部Ｄ２において切除される。
【００４４】
図２（ｃ）に示すように、カード状部Ｃが包装容器２０から切り離された状態において、内側片２２に印刷された第二情報ｉ２が、包装容器２０の表面から視認することができる。
【００４５】
第２実施形態においては、カード状部Ｃと外側片２１とは切除部Ｄ１と切除部Ｄ２との二辺を介して一体となり、二辺が自由端となっている。このように、第１実施形態と比して自由端が少ないため、カード状部Ｃが、輸送時等における不可抗力によりめくりあがるおそれがなくなる。
【００４６】
〔第３実施形態〕
本発明の第３実施形態を図を用いて説明する。図３は第１実施形態に係る包装容器の使用状態を示す斜視図である。前述と同様の構成については同符号を付すことで説明を省略する。
【００４７】
図３（ａ）に示すように、本実施形態の包装容器３０の上面は、外側片３１と内側片３２からなる二重構造である。カード状部Ｃと外側片３１は、カード状部Ｃの二辺に形成された切除部Ｄ１及び切除部Ｄ２に加え、次に示す切除部Ｄ３を介して一体となる。
【００４８】
第３実施形態においては、カード状部ＣのタブＣｔの隣接する外側片３１及び内側片３２に、押し下げることができるように、押下部３１Ａ及び押下部３２Ａが形成される。押下部３１Ａは、切除部Ｄ３を介してタブＣｔと一体となっている。
【００４９】
図３（ｂ）に示すように、カード状部Ｃを包装容器３０から切除する際には、押下部３１Ａを押下げる。すると、押下部３１Ａとともに、その下面に形成される押下部３２Ａが破断して押下溝が形成される。
【００５０】
また、押下部３１Ａが押下げられると、押下部３１ＡとタブＣｔとの間の切除部Ｄ３が破断する。すると、タブＣｔをつまむことができるようになる。この状態で、タブＣｔを把持しながら、Ｃを引き上げていく。カード状部Ｃは、切除部Ｄ１に沿って外側片３１から切り離され、その後、上述の実施形態と同様、引っ張ることでＤ２において外側片３１から切り離される。
【００５１】
図３（ｃ）に示すように、カード状部Ｃが包装容器３０から切り離された状態において、内側片３２に印刷された第二情報ｉ２が、包装容器３０の表面から視認することができる。
【００５２】
第３実施形態においては、カード状部Ｃと外側片３１とは、切除部Ｄ１と切除部Ｄ２と切除部Ｄ３の三辺を介して一体となり、一辺が自由端となっている。すると、前述の実施形態と比して自由端が少ないため、カード状部Ｃが不可抗力によりめくりあがるおそれがなくなる。
【００５３】
また、押下部３１Ａを押下げると、内側片３２の押下部３２Ａが内部に窪んで押下溝が形成される構成である。このように構成すると、図３（ｃ）に示すように、カード状部Ｃを取り除いた後、に包装容器３０に窪みが形成されるため、カード状部Ｃが確実に人の手によって取り除かれたことを認識することができる。
【産業上の利用可能性】
【００５４】
薬品等を収納する包装容器において、特に、情報カードを切取ることができる包装容器に利用することができる。
【符号の説明】
【００５５】
Ｃ …カード状部
Ｃｔ…タブ
Ｄ…切除部
Ｄ１…切除部
Ｄ２…切除部
Ｄ３…切除部
Ｌ…距離
Ｒ…剥離剤
Ｓ…印字スペース
Ｓｅ…側端部
ｉ１…第一情報
ｉ２…第二情報
１０…包装容器
１１…外側片
１２…内側片
１３…容器側面
２０…包装容器
２１…外側片
２２…内側片
３０…包装容器
３１…外側片
３１Ａ…押下部
３２…内側片
３２Ａ…押下部
【図１】
2014108810.tif 000003
【図２】
2014108810.tif 000004
【図３】
2014108810.tif 000005